(57)【要約】【課題】  再生装置から出力されたオーディオ信号を出力するヘッドホン装置において、ハウジングを小型化しつつ高感度で高音質なオーディオ信号を放音することができると共に、高感度で高音質なオーディオ信号を省電力で放音させることができるヘッドホン装置を提供する。【解決手段】  入力されたオーディオ信号を出力するヘッドホン装置において、内部が空洞の形状を成し、前方に前後に貫通する孔を備える凸部を備えるハウジングと、前記ハウジングの内壁にそれぞれ固定され入力したオーディオ信号を放音する振動板をそれぞれ有する第１のドライバーユニット及び第２のドライバーユニットとを備え、前記第１のドライバーユニット及び前記第２のドライバーユニットは、それぞれの前記振動板が互いに対向するよう並行に配設されている。【選択図】      図２
2013070138.tif 000002
【特許請求の範囲】
【請求項１】
入力されたオーディオ信号を出力するヘッドホン装置において、
内部が空洞の形状を成し、前方に前後に貫通する孔を備える凸部を備えるハウジングと、
前記ハウジングの内壁にそれぞれ固定され入力したオーディオ信号を放音する振動板をそれぞれ有する第１のドライバーユニット及び第２のドライバーユニットとを備え、
前記第１のドライバーユニット及び前記第２のドライバーユニットは、それぞれの前記振動板が互いに対向するよう並行に配設されていることを特徴とするヘッドホン装置。
【請求項２】
入力されたオーディオ信号を出力するヘッドホン装置において、
内部が空洞の形状を成し、前方に前後に貫通する孔を備える凸部を備えるハウジングと、
前記ハウジングの内壁にそれぞれ固定され入力したオーディオ信号を放音する振動板をそれぞれ有する第１のドライバーユニット及び第２のドライバーユニットとを備え、
前記第１のドライバーユニット及び前記第２のドライバーユニットは、それぞれの前記振動板が互いに対向すると共に当該それぞれの振動板が予め定めた角度だけ傾斜して配設されていることを特徴とするヘッドホン装置。
【請求項３】
請求項１または２記載のヘッドホン装置において、
前記第１のドライバーユニットの前記振動板から前記第２のドライバーユニットの前記振動板までの距離は、略２ｍｍであることを特徴とするヘッドホン装置。
【請求項４】
請求項１乃至３のうちいずれか１項に記載のヘッドホン装置において、
前記貫通する孔は、前記第１のドライバーユニット及び前記第２のドライバーユニットに対して略垂直となる位置に配設されることを特徴とするヘッドホン装置。
【発明の詳細な説明】
【技術分野】
【０００１】
本発明は、再生装置と接続し、再生装置から出力されたオーディオ信号を出力するヘッドホン装置に関する。
【背景技術】
【０００２】
従来のヘッドホン装置として、ケーブルを介して再生装置と電気的に接続し、再生装置から出力されたオーディオ信号を出力するヘッドホン装置が知られている（例えば、特許文献１参照）。
【０００３】
図５は、従来のヘッドホン装置を示す概略構成図である。
ヘッドホン装置１００は、それぞれ２つのハウジング２００、前部３００及びイヤーパッド４を備え、それぞれのハウジング２００は、ケーブル６によって入力端子８に接続される。ケーブル６は、内部にリード線を備える。入力端子８は、再生装置１０の出力端子１１に接続される。再生装置１０は、オーディオ信号を再生し、再生したオーディオ信号を出力端子１１から出力する。
【０００４】
ヘッドホン装置１００は、図５で説明した構成の他、図示しないドライバーユニット及びブッシュを備える。ドライバーユニットは、前部３００の裏面に接着剤等により固着される。ドライバーユニットは、ボイスコイル（図示しない）、マグネット（図示しない）等を備える磁気回路（図示しない）、振動板（図示しない）等を備え、ケーブルを介して入力端子８と電気的に接続される。
【０００５】
イヤーパッド４は、ゴム部材等の弾性体により円筒型に形成され、前後に貫通する孔（図示しない）を備える。イヤーパッド４は、前部３００の前方に保持された状態となる。
【０００６】
ヘッドホン装置１００は、再生装置１０の出力端子１１から出力されるオーディオ信号を入力端子８によって入力し、入力端子８から入力したオーディオ信号をケーブル６のリード線を介してドライバーユニットに入力する。ドライバーユニットは、入力したオーディオ信号を磁気回路によって振動に変換し、この振動がボイスコイルを介して振動板に伝達することによってオーディオ信号を放音する。ヘッドホン装置１００の使用者は、イヤーパッド４を耳にはめ込み、例えば、洋服のポケット等に再生装置１０を入れた状態で、再生装置１０からオーディオ信号を再生させる。このことにより、再生装置１０が再生したオーディオ信号が入力端子８及びケーブル６を介してドライバーユニット７によって放音され、この放音されたオーディオ信号が前部３００の孔を介してイヤーパッド４の内部に伝達する。これにより、イヤーパッド４を装着した使用者の耳にオーディオ信号が伝達し、使用者は、ヘッドホン装置１００から出力されるオーディオ信号を聴取することができる。
【先行技術文献】
【特許文献】
【０００７】
【特許文献１】特開平８−０９８２９０号公報
【発明の概要】
【発明が解決しようとする課題】
【０００８】
従来のヘッドホン装置は、ドライバーユニットから放音されたオーディオ信号が振動として放音されることから、放音されるオーディオ信号の感度や音質はドライバーユニットの大きさに依存することが多い。例えば、ドライバーユニットのマグネットを大型化することによって生じさせる磁束を増大させることができ、また、ドライバーユニットの振動板の面積を大きくすることにより有効振動面積を大きくすることができるので、放音するオーディオ信号の音圧を増大させることができる。このため、例えば、感度が良く高音質なオーディオ信号を放音したい場合、大きな磁気回路及び振動板を備えたドライバーユニットを用いてボイスコイルの磁束密度を増大させることにより感度が良く高音質なオーディオ信号を放音させることができる。しかしながら、図５に示すようなヘッドホン装置１００においては、大きな磁気回路及び振動板を備えたドライバーユニットを用いようとすると、ハウジングが大型化してしまい、イヤーパッド４を耳にはめ込んだ場合に耳から突出したハウジングが露呈してヘッドホン装置１００の装着感が悪化してしまう。
【０００９】
このようなハウジングの大型化を防止しながら感度が良く高音質なオーディオ信号を放音させる手段として、例えば、複数の小型のドライバーユニットをハウジング内に備え、複数のドライバーユニットからオーディオ信号を放音することで高感度で高音質なオーディオ信号を放音することが考えられる。しかしながら、複数のドライバーユニットをハウジング内に備えた構成にすると、それぞれのドライバーユニットから放音される振動が互いに干渉してしまい、放音するオーディオ信号の周波数特性が乱れてしまいオーディオ信号に歪が生じてしまう虞がある。また、複数のドライバーユニットをハウジング内に備えた構成にすると、それぞれのドライバーユニットにオーディオ信号を入力させなければならないため、再生装置がオーディオ信号として各ドライバーユニットに出力するための消費電力が増大してしまう。更に、通常の再生装置は、出力可能なオーディオ信号の出力レベルが限られているため、例えば、再生装置が最大の出力レベルでオーディオ信号を出力しても、この再生装置から出力されたオーディオ信号が複数のドライバーユニットにそれぞれ分散されてしまうため、それぞれのドライバーユニットから大音量のオーディオ信号を放音することができず、感度が良く高音質なオーディオ信号を放音させることができない。
【００１０】
本発明は、再生装置から出力されたオーディオ信号を出力するヘッドホン装置において、ハウジングを小型化しつつ高感度で高音質なオーディオ信号を放音することができると共に、高感度で高音質なオーディオ信号を省電力で放音させることができるヘッドホン装置を提供することを目的とする。
【課題を解決するための手段】
【００１１】
本願の請求項１記載の発明は、入力されたオーディオ信号を出力するヘッドホン装置において、内部が空洞の形状を成し、前方に前後に貫通する孔を備える凸部を備えるハウジングと、前記ハウジングの内壁にそれぞれ固定され入力したオーディオ信号を放音する振動板をそれぞれ有する第１のドライバーユニット及び第２のドライバーユニットとを備え、前記第１のドライバーユニット及び前記第２のドライバーユニットは、それぞれの前記振動板が互いに対向するよう並行に配設されていることを特徴とする。
【００１２】
本願の請求項２記載の発明は、入力されたオーディオ信号を出力するヘッドホン装置において、内部が空洞の形状を成し、前方に前後に貫通する孔を備える凸部を備えるハウジングと、前記ハウジングの内壁にそれぞれ固定され入力したオーディオ信号を放音する振動板をそれぞれ有する第１のドライバーユニット及び第２のドライバーユニットとを備え、前記第１のドライバーユニット及び前記第２のドライバーユニットは、それぞれの前記振動板が互いに対向すると共に当該それぞれの振動板が予め定めた角度だけ傾斜して配設されていることを特徴とする。
【００１３】
本願の請求項３記載の発明は、請求項１または２記載のヘッドホン装置において、前記第１のドライバーユニットの前記振動板から前記第２のドライバーユニットの前記振動板までの距離は、略２ｍｍであることを特徴とする。
【００１４】
本願の請求項４記載の発明は、請求項１乃至３のうちいずれか１項に記載のヘッドホン装置において、前記貫通する孔は、前記第１のドライバーユニット及び前記第２のドライバーユニットに対して略垂直となる位置に配設されることを特徴とする。
【発明の効果】
【００１５】
本発明によれば、再生装置から出力されたオーディオ信号を出力するヘッドホン装置において、ハウジングを小型化しつつ高感度で高音質なオーディオ信号を放音することができると共に、高感度で高音質なオーディオ信号を省電力で放音させることができるヘッドホン装置を提供することができる。
【図面の簡単な説明】
【００１６】
【図１】本発明の一実施例のヘッドホン装置を示す概略構成図。
【図２】本実施例のヘッドホン装置１を示す断面図。
【図３】本実施例のヘッドホン装置１において、第１のドライバーユニット７ａ及び第２のドライバーユニット７ｂがそれぞれオーディオ信号を放音している状態を示す図。
【図４】本実施例のヘッドホン装置１において、第１のドライバーユニット７ａ及び第２のドライバーユニット７ｂをそれぞれ駆動させた状態における第１のドライバーユニット７ａから放出される磁束密度を位置ａ、位置ｂ及び位置ｃでそれぞれ測定した結果と、第１のドライバーユニット７ａと同じドライバーユニットを単体で駆動させた状態における当該ドライバーユニットから放出される磁束密度を位置ａ、位置ｂ及び位置ｃでそれぞれ測定した結果を示す図。
【図５】従来のヘッドホン装置を示す概略構成図。
【発明を実施するための形態】
【００１７】
本発明の実施の形態を図面を参照して説明する。なお、背景技術又は図５で示した構成要素と同一の部分については同符号を用いる。
【００１８】
図１は、本発明の一実施例のヘッドホン装置を示す概略構成図である。
ヘッドホン装置１は、ハウジング２ａ、ハウジング２ｂ、イヤーパッド４、ブッシュ５、ケーブル６、第１のドライバーユニット７ａ、第２のドライバーユニット７ｂ及び入力端子８を備える。入力端子８については、背景技術で説明した構成と同様の構成であるため、説明を省略する。
【００１９】
図２は、本実施例のヘッドホン装置１を示す断面図である。
図２に示すヘッドホン装置１においては、図１に示すヘッドホン装置１を上方から見た断面図であるが、各構成の説明の関係上、左方向をヘッドホン装置１の前方とし、上方向をヘッドホン装置１の上方とし、下方をヘッドホン装置１の下方として説明する。
【００２０】
図１に示すように、ハウジング２ａ及びハウジング２ｂは、それぞれ左右対称の形状を成し、それぞれ内部が空洞な半球型を形成する。ハウジング２ａ及びハウジング２ｂは、それぞれの縁を重ね合わせることにより内部が空洞な球体を形成する。第１のドライバーユニット７ａは、ハウジング２ａの内壁に固定され、また、第２のドライバーユニット７ｂは、ハウジング２ｂの内壁に固定される。
以降の説明においては、ハウジング２ａ及びハウジング２ｂを１つの内部が空洞な球体を形成するハウジング２として説明する。
【００２１】
図１及び図２に示すように、ハウジング２は、前方に円筒型を形成する凸部２０２を備える。凸部２０２は、前後に貫通する孔２０４を備え、外周の中央部分に溝部２０３を備える。ハウジング２は、後方に前後に貫通する孔２０５を備える。
【００２２】
ブッシュ５は、図１及び図２に示すように、前後方向に円筒型を形成すると共に、後方部分が略直角に曲がったＬ字型を形成し、ハウジング２の後方部分に接着剤等によって固着される。ブッシュ５は、ハウジング２の孔２０５と貫通すると共に後方に亘ってＬ字型に貫通する孔５０３を備える。
【００２３】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２がハウジング２の溝部２０３にはめ込まれることによってハウジング２の前方に保持された状態となる。
【００２４】
ケーブル６は、内部にリード線６０２を備え、入力端子８を備える一端の他端がブッシュ５の孔５０３及びハウジング２の孔２０５を介してハウジング２の内部に挿入される。
【００２５】
第１のドライバーユニット７ａ及び第２のドライバーユニット７ｂは、それぞれフレーム７０１、振動板７０２及びサスペンション７０５を備えると共に、ボイスコイル７０３及びマグネット７０４等から構成された磁気駆動回路（図示しない）を備える。第１のドライバーユニット７ａ及び第２のドライバーユニット７ｂはそれぞれケーブル６のリード線６０２に電気的に接続される。マグネット７０４は、フレーム７０１に固着される。ボイスコイル７０３は、マグネット７０４側となる振動板７０２の一面に固着される。サスペンション７０５はゴム部材等の弾性体から成り、一端が振動板７０２の外周に固着されると共に他端がフレーム７０１に固着されることにより振動板７０２を保持する。振動板７０２は、サスペンション７０５に保持された状態でサスペンション７０５の弾性により上下に移動可能となる。
【００２６】
第１のドライバーユニット７ａ及び第２のドライバーユニット７ｂは、リード線６０２を介してオーディオ信号が入力されると、マグネット７０４、ボイスコイル７０３等の磁気回路によって磁界を発生し、この磁界の作用によってボイスコイル７０３が振動し、ボイスコイル７０３に固着されている振動板７０２が上下に震動することによってオーディオ信号を放音する。
【００２７】
図２に示すように、ハウジング２内には空間９を備える。空間９は、孔２０４によって外部に開口した状態となる。図２に示すように、第１のドライバーユニット７ａ及び第２のドライバーユニット７ｂは、それぞれの振動板７０２が対向した方向となるよう並行に配設される。また、図２に示すように、空間９から外部に開口した孔２０４は、第１のドライバーユニット７ａ及び第２のドライバーユニット７ｂに対して略垂直となる位置に配設される。
【００２８】
図１及び図２に示すように、ヘッドホン装置１は、背景技術で説明した再生装置の出力端子から出力されるオーディオ信号を入力端子８によって入力し、入力端子８から入力したオーディオ信号をケーブル６を介して第１のドライバーユニット７ａ及び第２のドライバーユニット７ｂから放音する。ヘッドホン装置１の使用者は、イヤーパッド４を耳にはめ込み、例えば、洋服のポケット等に再生装置を入れた状態で、再生装置からオーディオ信号を再生させる。このことにより、再生装置が再生したオーディオ信号が入力端子８及びケーブル６を介して第１のドライバーユニット７ａ及び第２のドライバーユニット７ｂによって放音され、この放音されたオーディオ信号がハウジング２の孔２０４を介してイヤーパッド４の孔４０１の内部に伝達する。これにより、イヤーパッド４を装着した使用者の耳にオーディオ信号が伝達し、使用者は、ヘッドホン装置１から出力されるオーディオ信号を聴取することができる。
【００２９】
図３は、本実施例のヘッドホン装置１において、第１のドライバーユニット７ａ及び第２のドライバーユニット７ｂがそれぞれオーディオ信号を放音している状態を示す図である。
図３に示すヘッドホン装置１においては、左方向をヘッドホン装置１の前方とし、上方向をヘッドホン装置１の上方とし、下方をヘッドホン装置１の下方とする。
【００３０】
図３に示すように、第１のドライバーユニット７ａの振動板７０２から第２のドライバーユニット７ｂの振動板７０２までの距離は予め定めた距離Ａとなるように配設されている。本実施例においては、この距離Ａを略２ｍｍとする。
【００３１】
図３に示すように、第１のドライバーユニット７ａ及び第２のドライバーユニット７ｂがそれぞれオーディオ信号を放音している状態では、第１のドライバーユニット７ａ及び第２のドライバーユニット７ｂからそれぞれ放出される磁界により磁束が生じる。
【００３２】
図４は、本実施例のヘッドホン装置１において、第１のドライバーユニット７ａ及び第２のドライバーユニット７ｂをそれぞれ駆動させた状態における第１のドライバーユニット７ａから放出される磁束密度を図３に示す位置ａ、位置ｂ及び位置ｃでそれぞれ測定した結果と、第１のドライバーユニット７ａと同じドライバーユニットを単体で駆動させた状態における当該ドライバーユニットから放出される磁束密度を図３に示す位置ａ、位置ｂ及び位置ｃと同一の位置でそれぞれ測定した結果を示す図である。
【００３３】
図３示すように、第１のドライバーユニット７ａと第２のドライバーユニット７ｂをそれぞれ振動板７０２が対向するように配設すると共に、第１のドライバーユニット７ａの振動板７０２から第２のドライバーユニット７ｂの振動板７０２までの距離が略２ｍｍとなるように配設した状態でそれぞれのドライバーユニットを駆動させると、それぞれのドライバーユニットから放出される磁界が互いに作用し合い、それぞれのドライバーユニットから放出される磁束が変化する。その結果、図４に示すように、図３に示す位置ｂにおいては、第１のドライバーユニット７ａと同じドライバーユニットを単体で駆動させた状態における当該ドライバーユニットから放出される磁束密度より、第１のドライバーユニット７ａ及び第２のドライバーユニット７ｂをそれぞれ駆動させた状態における第１のドライバーユニット７ａから放出される磁束密度が増大した結果となる。
【００３４】
また、前述した本実施例のヘッドホン装置１のように、ハウジング２内に第１のドライバーユニット７ａ及び第２のドライバーユニット７ｂを配設し、且つ、第１のドライバーユニット７ａと第２のドライバーユニット７ｂをそれぞれ振動板７０２が対向するように配設すると共に、第１のドライバーユニット７ａの振動板７０２から第２のドライバーユニット７ｂの振動板７０２までの距離が略２ｍｍとなるように配設した状態でそれぞれのドライバーユニットを駆動させることにより、放音するオーディオ信号の音圧を約５ｄＢ〜８ｄＢ増大させることができることが実証実験によりわかっている。
【００３５】
以上のように、本実施例のヘッドホン装置１は、第１のドライバーユニット７ａと第２のドライバーユニット７ｂをそれぞれ振動板７０２が対向するように配設すると共に、第１のドライバーユニット７ａの振動板７０２から第２のドライバーユニット７ｂの振動板７０２までの距離が略２ｍｍとなるように配設した状態でそれぞれのドライバーユニットを駆動させることにより、第１のドライバーユニット７ａと同じドライバーユニットを単体で駆動させた状態における当該ドライバーユニットから放出される磁束密度より、第１のドライバーユニット７ａ及び第２のドライバーユニット７ｂをそれぞれ駆動させた状態における第１のドライバーユニット７ａから放出される磁束密度が増大する。このため、ドライバーユニットを単体で駆動させた場合より、第１のドライバーユニット７ａ及び第２のドライバーユニット７ｂをそれぞれ振動板７０２が対向するように配設すると共に、第１のドライバーユニット７ａの振動板７０２から第２のドライバーユニット７ｂの振動板７０２までの距離が略２ｍｍとなるように配設した状態のほうが、放音するオーディオ信号を増大させることができる。
【００３６】
このように、本実施例のヘッドホン装置１は、第１のドライバーユニット７ａ及び第２のドライバーユニット７ｂの２つの小型のドライバーユニットをハウジング２内に配設させることにより、大型のドライバーユニットをハウジング内に配設させた場合よりハウジング２を小型化することができる。また、本実施例のヘッドホン装置１は、第１のドライバーユニット７ａと第２のドライバーユニット７ｂをそれぞれ振動板７０２が対向するように配設すると共に、第１のドライバーユニット７ａの振動板７０２から第２のドライバーユニット７ｂの振動板７０２までの距離が略２ｍｍとなるように配設した状態でそれぞれのドライバーユニットを駆動させることにより、第１のドライバーユニット７ａ及び第２のドライバーユニット７ｂのそれぞれのドライバーユニットから放音するオーディオ信号を増大させることができるので、ヘッドホン装置１がオーディオ信号として出力するための消費電力を減少させることができ、その結果、ヘッドホン装置の省電力化に寄与することができる。更に、本実施例のヘッドホン装置１は、第１のドライバーユニット７ａ及び第２のドライバーユニット７ｂのそれぞれのドライバーユニットから放音するオーディオ信号を増大させることができるので、例えば、再生装置から所定の出力レベルのオーディオ信号が出力された場合でも、本実施例のような構成を備えていないヘッドホン装置と比較して感度が良く高音質なオーディオ信号を放音させることができる。
【００３７】
本実施例のヘッドホン装置１は、図３に示すように、第１のドライバーユニット７ａの振動板７０２から第２のドライバーユニット７ｂの振動板７０２までの距離Ａを略２ｍｍとした構成としたが、第１のドライバーユニット７ａ及び第２のドライバーユニット７ｂの駆動能力に応じて、この距離Ａを２ｍｍ未満としても良いし、また、距離Ａを２ｍｍ超の距離としても良い。これにより、それぞれのドライバーユニットから放出される磁界が互いに作用し合ってそれぞれのドライバーユニットから放出される磁束密度の更に増大させることができ、この磁束密度の更なる増大により、更に高感度で高音質なオーディオ信号を省電力で放音させることができる。
【００３８】
本実施例のヘッドホン装置１は、図２に示すように、第１のドライバーユニット７ａ及び第２のドライバーユニット７ｂによって放音されたオーディオ信号が外部に放出される孔２０４が第１のドライバーユニット７ａ及び第２のドライバーユニット７ｂに対して略垂直となる位置に配設される構成としたが、この配設に限られず、例えば、孔２０４の位置を第１のドライバーユニット７ａ及び第２のドライバーユニット７ｂに対して並行となる位置に配設する構成としても良いし、また、孔２０４の位置がそれぞれのドライバーに対して水平または垂直の角度から１度〜８９度だけオフセットした角度となるよう配設しても良い。これにより、第１のドライバーユニット７ａ及び第２のドライバーユニット７ｂから放音されたオーディオ信号が外部に放出される角度が変化するため、孔２０４から放音されるオーディオ信号の周波数特性を変化させることができ、使用者にとって最適な周波数特性のオーディオ信号を放音させることができる。
【００３９】
本実施例のヘッドホン装置１は、第１のドライバーユニット７ａと第２のドライバーユニット７ｂをそれぞれ振動板７０２が対向するように並行に配設する構成としたが、第１のドライバーユニット７ａ及び第２のドライバーユニット７ｂのそれぞれの振動板７０２を並行に配設するのでなく、ある程度の角度だけそれぞれ傾斜させた状態として配設させても良い。例えば、図２に示すハウジング２及び孔２０４において、第１のドライバーユニット７ａ及び第２のドライバーユニット７ｂのそれぞれの振動板７０２を孔２０４の方向にそれぞれ３０度傾斜させた状態となるよう第１のドライバーユニット７ａ及び第２のドライバーユニット７ｂを配設させても良い。これにより、第１のドライバーユニット７ａ及び第２のドライバーユニット７ｂのそれぞれの振動板７０２から放音されるオーディオ信号が孔２０４の方向に放出されやすくなるため、ヘッドホン装置１により放音するオーディオ信号を更に高音質にすることができる。
【００４０】
本実施例のヘッドホン装置１は、ハウジング２の形状を球体とする構成としたが、これに限られず、内部に空間を備えるのであれば立方体、長方体、多面体等、どのような形状としても良い。また、本実施例のヘッドホン装置１は、ケーブル６を介してオーディオ信号を入力する構成としたが、これに限られず、例えば、赤外線送信、電波送信等の無線送信手段によりオーディオ信号を入力する構成としても良い。また、本実施例のヘッドホン装置１は、第１のドライバーユニット７ａと第２のドライバーユニット７ｂの２つのドライバーユニットを備える構成としたが、これに限られず、３つ以上のドライバーユニットを備える構成としても良い。
【００４１】
本実施例のヘッドホン装置１は、第１のドライバーユニット７ａと第２のドライバーユニット７ｂをそれぞれ振動板７０２が対向するように配設する構成としたが、この配設に限られず、例えば、第１のドライバーユニット７ａの振動板７０２とは反対の背面と第２のドライバーユニット７ｂの振動板７０２とは反対の背面が対抗するように配設しても良い。このことにより、第１のドライバーユニット７ａの磁気回路の部分と第２のドライバーユニット７ｂの磁気回路の部分との距離を更に近づけることができるため、それぞれのドライバーユニットから放出される磁界が互いに作用し合ってそれぞれのドライバーユニットから放出される磁束密度の更に増大させることができ、この磁束密度の更なる増大により、更に高感度で高音質なオーディオ信号を省電力で放音させることができる。
【産業上の利用可能性】
【００４２】
本発明は、再生装置と接続し、再生装置から出力されたオーディオ信号を出力するヘッドホン装置に有用に用いることができる。
【符号の説明】
【００４３】
１  ヘッドホン装置１、２  ハウジング、２０２  凸部、２０３  溝部、
２０４  孔、２０５  孔、
４  イヤーパッド、４０１  孔、４０２  鍔部、５  ブッシュ、５０３  孔、
６  ケーブル、６０２  リード線、
７ａ  第１のドライバーユニット、７ｂ  第２のドライバーユニット、
７０１  フレーム、７０２  振動板、７０３  ボイスコイル、７０４  マグネット、
７０５  サスペンション、
８  入力端子、９  空間、１０  再生装置、１１  出力端子、
１００  ヘッドホン装置、２００  ハウジング、３００  前部
【図１】
2013070138.tif 000003
【図２】
2013070138.tif 000004
【図３】
2013070138.tif 000005
【図４】
2013070138.tif 000006
【図５】
2013070138.tif 000007